(57)【特許請求の範囲】
【請求項１】
方向性を有する特徴のある柄を１乃至数カ所に有し、幅方向に三等分割した時に方向性を有する特徴のある前記柄が多くともその２枚に現れるような化粧柄が６００〜１５００ｍｍで繰り返し連続的に印刷された３尺幅の印刷化粧シートを用意し、
前記印刷化粧シートを長手方向に並べた、３尺×６尺サイズの木質基板に貼着し、
前記印刷化粧シートが貼着された前記木質基板をひとつおきに前後反転させた後、前記木質基板を長手方向に沿って切断して幅方向に三等分割し、続いて実加工を施して１尺×６尺サイズのフローリング材を形成し、前後反転した、特徴のある柄を有するフローリング材または特徴のある柄を有しないフローリング材、および、前後反転していない、特徴のある柄を有するフローリング材または特徴のある柄を有しないフローリング材を前後の向きを変えることなく単位枚数だけ順に取り出して梱包することを特徴とするフローリングセットの梱包方法。
【請求項２】
方向性を有する特徴のある柄を１乃至数カ所に有し、幅方向に三等分割した時に方向性を有する特徴のある前記柄が多くともその２枚に現れるような化粧柄が６００〜１５００ｍｍで繰り返し連続的に印刷された３尺幅の印刷化粧シートを用意し、
前記印刷化粧シートを長手方向に並べた、３尺×６尺サイズの木質基板に貼着し、
記印刷化粧シートが貼着された前記木質基板を長手方向に沿って切断して幅方向に三等分割して１尺×６尺サイズのシート付切断木質基板を形成した後、同一の前記木質基板から切り分けられた前記シート付切断木質基板を１セットとして、各セットひとつおきに前後反転させ、然る後、前記シート付切断木質基板に実加工を施してフローリング材とし、  前後反転した、特徴のある柄を有するフローリング材または特徴のある柄を有しないフローリング材、および、前後反転していない、特徴のある柄を有するフローリング材または特徴のある柄を有しないフローリング材を前後の向きを変えることなく単位枚数だけ順に取り出して梱包することを特徴とするフローリングセットの梱包方法。
【請求項３】
方向性を有する特徴のある柄を１乃至数カ所に有し、幅方向に三等分割した時に方向性を有する特徴のある前記柄が多くともその２枚に現れるような化粧柄が６００〜１，５００ｍｍで繰り返し連続的に印刷されており、化粧柄が互いに異なる３尺幅の複数種類の印刷化粧シートを用意し、
複数種類の前記印刷化粧シートを長手方向に並べた、３尺×６尺サイズの木質基板に貼着し、
複数種類の前記印刷化粧シートが貼り付けられた前記木質基板をそれぞれひとつおきに前後反転させた後、長手方向に沿って切断して幅方向に三等分割し、続いて実加工を施して１尺×６尺サイズのフローリング材を形成し、前後反転した、特徴のある柄を有するフローリング材または特徴のある柄を有しないフローリング材、および、前後反転していない、特徴のある柄を有するフローリング材または特徴のある柄を有しないフローリング材を、前後の向きを変えることなく単位枚数だけ順に取り出して梱包することを特徴とするフローリングセットの梱包方法。
【請求項４】
方向性を有する特徴のある柄を１乃至数カ所に有し、幅方向に三等分割した時に方向性を有する特徴のある前記柄が多くともその２枚に現れるような印刷された化粧柄が互いに異なる３尺幅の複数種類の印刷化粧シートを１尺×６尺の大きさに切断して切断化粧印刷シートを用意し、
３尺×６尺の木質基板を長手方向に沿って幅方向に三等分割に切断して１尺×６尺の切断木質基板を形成し、
複数種類の切断化粧印刷シートを前記切断木質基板に貼着してシート付切断木質基板を形成した後、同一の前記木質基板から切り分けられた前記シート付切断木質基板を１セットとして、各セットひとつおきに前後反転させ、然る後、前記シート付切断木質基板に実加工を施してフローリング材とし、前後反転した、特徴のある柄を有するフローリング材または特徴のある柄を有しないフローリング材、および、前後反転していない、特徴のある柄を有するフローリング材または特徴のある柄を有しないフローリング材を前後の向きを変えることなく単位枚数だけ順に取り出して梱包することを特徴とするフローリングセットの梱包方法。
【発明の詳細な説明】
【技術分野】
【０００１】
本発明は、住宅等の建築物における床材として用いられる、表面に化粧シートが取り付けられたフローリングセットの梱包方法に関する。
【背景技術】
【０００２】
従来から、図９（ａ）に示すように、例えば、３尺×６尺サイズで厚さが１１．７ｍｍの合板やＭＤＦ等からなる木質基板１の表面に、化粧柄が連続して印刷されてロール状に巻回された化粧シート２を貼り付け、然る後、これを幅方向に三等分割し、木口端面に実（さね）加工することによって構成された、長さ６尺×幅１尺×厚さ１２ｍｍであって幅方向に３枚ワンセットの化粧柄を有するフローリング材４が最も一般的に知られており、このフローリング材４を単位枚数分（通常は６枚のフローリング材＝１坪単位）梱包してフローリングセット５が構成される。
【０００３】
ところで、フローリング材４の化粧シート２の化粧柄は、予めデザインされた木目や幾何学模様等の柄をグラビア輪転印刷技術等で繰り返し連続的に印刷することによって構成されており、例えば、市場一般に流通しているシート印刷柄は、印刷設備の合理性等の理由で６００〜１５００ｍｍ単位長さで連続的に印刷されている（つまり、上述した化粧シート２の表面には、印刷柄が６００〜１５００ｍｍごとに繰り返し表れることになる。）。
【０００４】
特に木目がデザインされた化粧柄の場合、天然の材木の木目により似せるために、節、色、ヤニ、あるいは照り等といった「特徴のある柄Ｘ」を適宜配置したり、あるいはその他の手段（たとえば、特許文献１）を用いるといった、意匠性を向上させる工夫がなされており、このような「特徴のある柄Ｘ」を化粧柄に取り入れた場合、上述のような６尺長さのフローリング材４であれば、その表面に１〜２箇所の「特徴のある柄Ｘ」が現れることになる。
【０００５】
このため、単位枚数分（例えば６枚）のフローリング材４を梱包して構成されたフローリングセット５には、同じ「特徴のある柄Ｘ」が描かれたフローリング材４が複数枚（上述の１坪梱包＝６枚のフローリング材４であれば２枚）収容されることになる。
【０００６】
このようなフローリングセット５を内装工事現場で複数セット用いてそのまま床面施工すると、規則的に繰り返して現れる（３枚ごとに１〜２箇所）「特徴のある柄Ｘ」が他のおとなしい部分に対して目立ってしまい、床面全体として不自然な印象を与えることになる問題が生じていた（図９（ｂ）参照）。
【先行技術文献】
【特許文献】
【０００７】
【特許文献１】特開２００１−１３０２００号公報
【発明の概要】
【発明が解決しようとする課題】
【０００８】
本発明は、このような従来技術の問題点に鑑みて開発されたものであり、本発明の主たる課題は、施工現場で梱包を解いて、フローリング材を順番に床面に配設したとき、化粧シートに印刷された「同一の特徴のある柄」が床面に規則正しく表れる頻度を下げるとともに、「特徴のある柄」同士を適度に離間させて配置することにより、床面に表れる化粧柄の見た目をより自然にすることのできるフローリングセットの梱包方法を提供することにある。
【課題を解決するための手段】
【０００９】
請求項１に記載した発明は、
「方向性を有する特徴のある柄２９を１乃至数カ所に有し、幅方向に三等分割した時に方向性を有する特徴のある前記柄が多くともその２枚に現れるような化粧柄２８が６００〜１５００ｍｍで繰り返し連続的に印刷された３尺幅の印刷化粧シート１４を用意し、
前記印刷化粧シート１４を長手方向に並べた、３尺×６尺サイズの木質基板１２に貼着し、
前記印刷化粧シート１４が貼着された前記木質基板１２をひとつおきに前後反転させた後、前記木質基板１２を長手方向に沿って切断して幅方向に三等分割し、続いて実加工を施して１尺×６尺サイズのフローリング材を形成し、前後反転した、特徴のある柄２９を有するフローリング材１０ａ１または特徴のある柄を有しないフローリング材１０ｂ１、１０ｂ３、および、前後反転していない、特徴のある柄２９を有するフローリング材１０ａ２または特徴のある柄を有しないフローリング材１０ｂ２、１０ｂ４を前後の向きを変えることなく単位枚数だけ順に取り出して梱包することを特徴とするフローリングセット３２の梱包方法」である。
【００１０】
また、請求項２に記載した発明は、
「方向性を有する特徴のある柄２９を１乃至数カ所に有し、幅方向に三等分割した時に方向性を有する特徴のある前記柄が多くともその２枚の現れるような化粧柄２８が６００〜１,５００ｍｍで繰り返し連続的に印刷された３尺幅の印刷化粧シート１４を用意し
前記印刷化粧シート１４を長手方向に並べた、３尺×６尺サイズ木質基板１２に貼着し、
前記印刷化粧シート１４が貼着された前記木質基板１２を長手方向に沿って切断して幅方向に三等分割して１尺×６尺サイズのシート付切断木質基板１２ａを形成した後、同一の前記木質基板１２から切り分けられた前記シート付切断木質基板１２ａを１セットＳとして、各セットＳひとつおきに前後反転させ、然る後、前記シート付切断木質基板１２ａに実加工を施してフローリング材１０とし、前後反転した、特徴のある柄２９を有するフローリング材１０ａ１または特徴のある柄を有しないフローリング材１０ｂ１、１０ｂ３、および、前後反転していない、特徴のある柄２９を有するフローリング材１０ａ２または特徴のある柄を有しないフローリング材１０ｂ２、１０ｂ４を前後の向きを変えることなく単位枚数だけ順に取り出して梱包することを特徴とするフローリングセット３２の梱包方法」である。
【００１１】
請求項１および２に記載した発明によれば、「方向性を有する特徴のある柄２９」を有する印刷化粧シート１４を長手方向に並べた木質基板１２に貼着した後、当該木質基板１２をひとつおきに前後反転させ（請求項１）、あるいは当該「印刷化粧シート１４が貼着された木質基板１２」を長手方向に沿って切断してシート付切断木質基板１２ａを形成した後、同一の木質基板１２から切り分けられたシート付切断木質基板１２ａを１セットＳとして、各セットＳひとつおきに前後反転させ（請求項２）、然る後、実加工を施して、「方向性を有する特徴のある柄２９の有無」および「前後反転の有無」の点で互いに異なるフローリング材１０を形成し、前後の向きを変えることなくこれらフローリング材１０を単位枚数だけ順に取り出して梱包し、フローリングセット３２を形成している。
【００１２】
これにより、床面の施工現場でこのフローリングセット３２の梱包を解いて各フローリング材１０を順に床面に配設したとき、「方向性を有する特徴のある柄２９」は、非反転状態、反転状態の順で配設されることになり、非反転あるいは反転状態の「方向性を有する特徴のある柄２９」が同じ柄として把握し難くなることから、当該「方向性を有する特徴のある柄２９」が常に同じ向きで配設される場合に比べて、より自然な状態となる。
【００１３】
請求項３に記載した発明は、「方向性を有する特徴のある柄２９Ａ、２９Ｂを１乃至数カ所に有し、幅方向に三等分割した時に方向性を有する特徴のある前記柄が多くともその２枚の現れるような化粧柄２８Ａ、２８Ｂが６００〜１５００ｍｍで繰り返し連続的に印刷されており、化粧柄が互いに異なる３尺幅の複数種類の印刷化粧シート１４Ａ、１４Ｂを用意し
複数種類の前記印刷化粧シート１４Ａ、１４Ｂを長手方向に並べた木質基板１２に貼着し、
複数種類の前記印刷化粧シート１４Ａ、１４Ｂが貼り付けられた前記木質基板１２をそれぞれひとつおきに前後反転させた後、長手方向に沿って切断して幅方向に三等分割し、続いて実加工を施して１尺×６尺サイズのフローリング材を形成し、前後反転した、特徴のある柄２９Ａ、２９Ｂを有するフローリング材１０Ａａ１、１０Ｂａ１または特徴のある柄を有しないフローリング材１０Ａｂ１、１０Ａｂ３、１０Ｂｂ１、１０Ｂｂ３、および、前後反転していない、特徴のある柄２９Ａ、２９Ｂを有するフローリング材１０Ａａ２、１０Ｂａ２または特徴のある柄を有しないフローリング材１０Ａｂ２、１０Ａｂ４、１０Ｂｂ２、１０Ｂｂ４を、前後の向きを変えることなく単位枚数だけ順に取り出して梱包することを特徴とするフローリングセット３２の梱包方法」である。
【００１４】
請求項４に記載した発明は、「方向性を有する特徴のある柄２９Ａ、２９Ｂを１乃至数カ所に有し、３尺幅で幅方向に三等分割した時に方向性を有する特徴のある前記柄が多くともその２枚に現れるような印刷された化粧柄２８Ａ、２８Ｂが互いに異なる３尺幅の複数種類の印刷化粧シート１４Ａ、１４Ｂを１尺×６尺の大きさに切断して切断化粧印刷シートＹＡ、ＹＢを用意し、
３尺×６尺の木質基板１２を長手方向に沿って幅方向に三等分割に切断して切断して１尺×６尺の木質基板Ｚを形成し、
複数種類の切断化粧印刷シートＹＡ、ＹＢを前記切断木質基板Ｚに貼着してシート付切断木質基板１２ａを形成した後、同一の前記木質基板１２から切り分けられた前記シート付切断木質基板１２ａを１セットＳとして、各セットＳひとつおきに前後反転させ、然る後、前記シート付切断木質基板１２ａに実加工を施してフローリング材１０とし、前後反転した、特徴のある柄２９Ａ、２９Ｂを有するフローリング材１０Ａａ１、１０Ｂａ１または特徴のある柄を有しないフローリング材１０Ａｂ１、１０Ａｂ３、１０Ｂｂ１、１０Ｂｂ３、および、前後反転していない、特徴のある柄２９Ａ、２９Ｂを有するフローリング材１０ａ２、１０Ｂａ２または特徴のある柄を有しないフローリング材１０Ａｂ２、１０Ａｂ４、１０Ｂｂ２、１０Ｂｂ４を前後の向きを変えることなく単位枚数だけ順に取り出して梱包することを特徴とするフローリングセット３２の梱包方法」である。
【００１５】
請求項３および４に記載した発明によれば、請求項１に記載の梱包方法に加えて、さらに、「方向性を有する特徴のある柄２９」を有するそれぞれの化粧柄２８Ａ、２８Ｂが互いに異なる複数種類の印刷化粧シート１４Ａ、１４Ｂを使用しているので、これらの梱包方法に基づいて構成したフローリングセット３２の梱包を解いて各フローリング材１０を順に床面に配設したとき、「同一の『方向性を有する特徴のある柄２９』」が「同じ向き」で配置される頻度がさらに低くなることから、床面等に配置された化粧柄２８をさらに自然な状態にすることができる。
【００１６】
削除
【００１７】
この発明では、１セットのフローリングセット３２は６枚のフローリング材１０で構成されており、１枚の木質基板１２からは３枚のフローリング材１０が切り出されることになる。つまり、１セットのフローリングセット３２は、反転の有無において相違するフローリング材１０（請求項１または２の場合）、あるいは化粧柄２８Ａ、２８Ｂが互いに異なる２種類の印刷化粧シート１４Ａ、１４Ｂが使用され、かつ、反転の有無で相違するフローリング材１０（請求項３または４の場合）で構成されることになり、「同一の『方向性を有する特徴のある柄２９』」が「同じ向き」で１つのフローリングセット３２に梱包されることがなくなる。これにより、床面の施工現場で、１つのフローリングセット３２から「同一の『方向性を有する特徴のある柄２９』」が「同じ向き」で繰り返して配設される可能性がなくなるので、「方向性を有する特徴のある柄２９」がより自然な状態で配置されることになる。
【００１８】
削除
【００１９】
削除
【発明の効果】
【００２０】
本発明のフローリングセットの梱包方法によれば、施工現場で張り合わせた時に、「同一の『方向性を有する特徴のある柄』」が「同じ向き」で床面に表れる頻度が低下するとともに、これら「方向性を有する特徴のある柄」が連続して「同じ向き」で配設されることがなくなって互いに適度に離間して配置される。これにより、床面等に表された化粧柄の見た目をより自然にすることができた。
【図面の簡単な説明】
【００２１】
【図１】フローリング材を示す断面斜視図である。
【図２】フローリング材の他の実施例を示す断面図である。
【図３】化粧柄の例を示す図である。
【図４】第１の実施例に係るフローリングセットの梱包手順を示す図（ａ）、および当該フローリングセットを用いて施工した床面の柄を示す図（ｂ）である。
【図５】第２の実施例に係るフローリングセットの梱包手順を示す図である。
【図６】第３の実施例に係るフローリングセットの梱包手順を示す図である。
【図７】第３の実施例に係るフローリングセットを用いて施工した床面の柄を示す図である。
【図８】第４の実施例に係るフローリングセットの梱包手順を示す図である。
【図９】従来技術を示す図である。
【発明を実施するための形態】
【００２２】
以下、本発明の実施態様について図面を用いて説明する。なお、本明細書では、各符号に関し、各構成要素を上位概念で示す場合にはアルファベット（およびアラビア数字）の枝番をつけずアラビア数字のみで示し、各構成要素を区別する必要がある場合（すなわち下位概念で示す場合）にはアルファベットの枝番をアラビア数字に付して区別する。
【００２３】
最初に、フローリング材１０について図１を用いて説明すると、フローリング材１０は、大略、木質基板１２と、印刷化粧シート１４と、クリア樹脂層１６とで構成されている。
【００２４】
木質基板１２は、合板、ＬＶＬ、ＭＤＦ、集成材、パーティクルボード、ストランドボード、単板等の木質材料からなる短冊状の板材であり、その幅方向一方端面および長手方向一方端面には、矩形状断面を有する雄実部２０が突設されており、また、幅方向他方端面および長手方向他方端面には、別のフローリング材に形成された雄実部２０が嵌め込まれる雌実部２２が凹設されている。なお、雄実部２０および雌実部２２の形状は、これに限られるものではなく、図２（ａ）に示すように、雄実部２０の下面側に切除幅の大きい嵌合空間部２４を形成し、雌実部２２の下部に当該嵌合空間部２４に係合する幅広の突出部２６を形成してもよいし、図２（ｂ）に示すように、木質基板１２における幅方向一方端面の上半部側に雄実部２０を形成し、幅方向他方端面にはその下半部側に雄実部２０を突設するようにしてもよい。いわゆる、本実加工、あいじゃくり実加工、やとい実加工等の実加工形状は上記実施例に限られるものではないが、本発明の効果は、施工時の雄実あるいは雌実が予め決められている（すなわち、フローリング材１０同士が互いに隣接する）本実加工やあいじゃくり実加工等において特に有効である。
【００２５】
印刷化粧シート１４は、図３に示すように、化粧柄２８としてケヤキの木目模様がその表面に印刷された、例えば秤量２５g/m2程度の薄葉紙であり（もちろん、印刷化粧シート１４の材質はこれに限られるものではなく、晒クラフト紙、チタン紙、リンター紙、板紙、石膏ボード紙等の紙、ポリエチレンフィルム、ポリプロピレンフィルム、ポリ塩化ビニルフィルム、ポリ塩化ビニリデンフィルム、ポリビニルアルコールフィルム、ポリエチレンテレフタレートフィルム、ポリカーボネートフィルム、ナイロンフィルム、ポリスチレンフィルム、エチレン−酢酸ビニル共重合体フィルム、エチレン−ビニルアルコール共重合体フィルム等のプラスチックフィルム、あるいは、鉄、アルミニウム、銅等の金属箔を用いることができる。また、秤量もこの限りではない。）、木質基板１２の表面に例えば樹脂系接着剤を用いて貼着されている。また、印刷化粧シート１４の表面に印刷される化粧柄２８としては、上述したケヤキに代表される木目模様に限られることはなく、他品種の樹木の木目模様であってもよいし、幾何学模様等であってもよい。
【００２６】
化粧柄２８には、例えば木目模様であれば、節、ヤニスジ、ヤニツボ、入り皮、濃色部分等といった「方向性の有る特徴のある柄２９」が適宜配置されている（図示実施例では、この内、「方向性の有る特徴のある柄２９」として「節」が描かれている場合を示している。）。
【００２７】
クリア樹脂層１６（図１）は、フローリング材１０表面の耐傷性、耐摩耗性、耐水性、耐汚染性等の表面保護性能を向上させるため、当該表面にアクリル樹脂系、ウレタン樹脂系、アミノ樹脂系、ポリエステル樹脂系等の透明合成樹脂塗料を塗布して形成されている。クリア樹脂層１６は、床面に配設される前段階の個々のフローリング材１０表面に塗布してもよいし、クリア樹脂層１６形成前に複数のフローリング材１０を床面に配設し、全てのフローリング材１０を配設し終わってから、床面全体に上記クリア樹脂層１６を形成してもよい。
【００２８】
また、化粧柄２８の表面に予めクリア樹脂層１６が一体に形成された印刷化粧シート１４を使用してもよい。印刷化粧シート１４の表面に予めクリア樹脂層１６を設ける場合は、アクリル系樹脂、ポリエチレンテレフタレート系樹脂、オレフィン系樹脂等の透明樹脂シートを接着剤で積層一体化してもよいし、加熱一体化してもよい（もちろん、塗装により設けてもよい）。
【００２９】
次に、このフローリング材１０を製造するとともに、単位枚数のフローリング材１０をまとめてフローリングセット３２を構成する「フローリングセットの梱包方法」に係る第１の実施例について説明する。
【００３０】
（第１の実施例）
最初に、図４（ａ）に示すように、「方向性を有する特徴のある柄２９」を有する、予め規定した寸法の化粧柄２８を用意し、この化粧柄２８をロールされた長尺のシートに対して繰り返し連続的に印刷してロールされた印刷化粧シート１４を形成する。本実施例において、印刷化粧シート１４の幅は、３尺に設定されている。
【００３１】
また、これらとは別に、印刷化粧シート１４の幅とほぼ同じ寸法か、やや狭い幅を有する木質基板１２を複数用意する。本実施例において、木質基板１２は、３尺×６尺の大判サイズに設定されている。
【００３２】
次に、ロール状に巻回された印刷化粧シート１４を引き出しながら当該印刷化粧シート１４の裏面に樹脂系接着剤をナイフコーター、ロールコーター等の接着剤塗布設備で塗布し、印刷化粧シート１４を木質基板１２に貼着した後、一定時間圧締養生を行って、木質基板１２上に化粧シート１４を積層一体化する。
【００３３】
然る後、印刷化粧シート１４が貼着された木質基板１２をひとつおきに前後反転させた後、これらを長手方向に沿って切断（本実施例では、幅方向に三等分割されている。したがって、分割後のサイズは、１尺×６尺サイズとなる。）し、図示しないが、続いて、切り出した木質基板１２の側面に雄実部２０および雌実部２２を形成することにより、１尺×６尺サイズのフローリング材１０が完成する。
【００３４】
このとき、上述したように、「方向性を有する特徴のある柄２９」は、それぞれの化粧柄２８中に１カ所ないし数カ所描かれているだけであるから、印刷化粧シート１４を貼着した木質基板１２を切断して複数枚のフローリング材１０を形成したとき、その表面に「特徴のある柄２９」が存在するもの１０ａ１、１０ａ２と、存在しないもの１０ｂ１〜４とが生じることになる。
【００３５】
これにより、前後反転した、「方向性を有する特徴のある柄２９」を有するフローリング材１０ａ１またはそうでない（「方向性を有する特徴のある柄２９」を有さない）フローリング材１０ｂ１、１０ｂ３、および、前後反転していない、「方向性を有する特徴のある柄２９」を有するフローリング材１０ａ２またはそうでない（「方向性を有する特徴のある柄２９」を有さない）フローリング材１０ｂ２、１０ｂ４を含む組３０が構成される。
【００３６】
なお、本明細書では、「方向性を有する特徴のある柄を有するフローリング材」と、「そうでない（「方向性を有する特徴のある柄２９」を有さない）フローリング材」という表現を用いているが、ひとつの化粧柄２８には複数種類の「方向性を有する特徴のある柄」を配置することも当然可能であり、上記表現はあくまで、ある特定の「特徴のある柄２９」に着目した表現であってフローリング材１０に他の種類の「特徴のある柄」が描かれていないことを意味するものではない。つまり、「そうでない（「方向性を有する特徴のある柄２９」を有さない）フローリング材」にも「方向性を有する特徴のある柄２９」とは別種類の「方向性を有する特徴のある柄」が含まれている可能性がある（後述する他の実施例でも同じ）。
【００３７】
また、この状態（個々のフローリング材１０がバラバラの状態）でフローリング材１０の表面にクリア樹脂層１６を形成してもよいし、全てのフローリング材１０を床面に配設し終わった後、床面全体にクリア樹脂層１６を形成してもよい。
【００３８】
然る後、組３０から、前後反転した、「方向性を有する特徴のある柄２９」を有するフローリング材１０ａ１またはそうでない（「方向性を有する特徴のある柄２９」を有さない）フローリング材１０ｂ１、１０ｂ３、および、前後反転していない、「方向性を有する特徴のある柄２９」を有するフローリング材１０ａ２またはそうでない（「方向性を有する特徴のある柄２９」を有さない）フローリング材１０ｂ２、１０ｂ４を、前後の向きを変えることなくそれぞれ単位枚数取り出して梱包する（本実施例では、６枚のフローリング材１０＝１坪を単位枚数として）ことにより、フローリングセット３２が完成する。
【００３９】
この実施例によれば、方向性を有する特徴のある柄２９を有する印刷化粧シート１４が貼着された木質基板１２を、「ひとつおきに前後反転」させたうえで長手方向に切断して、「方向性を有する特徴のある柄２９の有無」および「前後反転の有無」で互いに異なるフローリング材１０を形成し、これらの前後の向きを変えることなく単位枚数だけ順に取り出して梱包しているので、図４（ｂ）に示すように、床面の施工現場でこのフローリングセット３２の梱包を解いて当該フローリング材１０を順に床面に配設したとき、「方向性を有する特徴のある柄２９」は、非反転状態、反転状態の順で配設されることになる。
【００４０】
これにより、化粧柄２８における「同一の『方向性を有する特徴のある柄２９』」が「同じ向き」で床面に表れる頻度が低下するとともに、これら「方向性を有する特徴のある柄２９」が連続して「同じ向き」で配設されることがなくなって互いに適度に離間して配置されることにより、非反転あるいは反転状態の「特徴のある柄２９」が同じ柄として把握し難くなることから、床面等に表された化粧柄２８の見た目をより自然にすることができる。
【００４１】
（第２の実施例）
第２の実施例は、図５に示すように、基本的に第１の実施例と同じであるが、「前後反転」を行うタイミングが第１の実施例と異なる。
【００４２】
すなわち、「方向性を有する特徴のある柄２９」を有する化粧柄２８が印刷された印刷化粧シート１４（本実施例において、印刷化粧シート１４の幅は、３尺に設定されている）を、当該印刷化粧シート１４の幅とほぼ同じ寸法か、やや狭い幅を有する長尺の木質基板１２（本実施例では、３尺×６尺の大判サイズに設定されている）に貼着した後、一定時間圧締養生を行って、木質基板１２上に印刷化粧シート１４を積層一体化する。
【００４３】
然る後、印刷化粧シート１４が貼着された木質基板１２を長手方向に沿って切断（本実施例では、幅方向に三等分割されている。したがって、分割後のサイズは、１尺×６尺サイズとなる。）してシート付切断木質基板１２ａを形成し、同一の木質基板１２から切り分けられたシート付切断木質基板１２ａを１セットＳとして、各セットＳひとつおきに前後反転させつつシート付切断木質基板１２ａを積み上げる。そして、図示しないが、続いて、積み上げたシート付切断木質基板１２ａの側面に雄実部２０および雌実部２２を形成してフローリング材１０が完成する。
【００４４】
このようにして完成したフローリング材１０の組３０は、上述した第１の実施例における組３０と同じであるから、本実施例の作用効果については、第１の実施例で説明した作用効果を援用する。
【００４５】
（第３の実施例）
第３の実施例は、互いに異なる化粧柄２８Ａ、２８Ｂを有する印刷化粧シート１４Ａ、１４Ｂを使用するものである。最初に、図６に示すように、「方向性を有する特徴のある柄２９」を有する、予め規定した寸法の化粧柄２８を複数種類用意し（本実施例では、２種類の化粧柄２８Ａ、２８Ｂを用意した場合について説明するが、３種類以上の化粧柄を用意してもよい。）、これら複数種類の化粧柄２８Ａ、２８Ｂを、それぞれロールされた長尺のシートに対して繰り返し連続的に印刷してロールされた印刷化粧シート１４Ａ（化粧柄Ａが印刷されたもの）およびロールされた印刷化粧シート１４Ｂ（化粧柄Ｂが印刷されたもの）を形成する（本実施例において、印刷化粧シート１４Ａ、１４Ｂの幅は、３尺に設定されている。）。
【００４６】
また、これらとは別に、印刷化粧シート１４の幅とほぼ同じ寸法か、やや狭い幅を有する木質基板１２（本実施例では、３尺×６尺の大判サイズに設定されている）を複数用意する。
【００４７】
次に、複数種類の印刷化粧シート１４Ａ、１４Ｂを、樹脂系接着剤等を用いてそれぞれ木質基板１２に貼着した後、各木質基板１２をそれぞれひとつおきに前後反転させ、然る後、各木質基板１２を長手方向に沿って切断（本実施例では、幅方向い三等分割されている。したがって、分割後のサイズは、１尺×６尺サイズとなる。）し、図示しないが、切り出した木質基板１２の側面に雄実部２０および雌実部２２を形成してフローリング材１０を形成する。
【００４８】
これにより、化粧柄２８Ａ、２８Ｂが互いに異なる、前後反転した、「方向性を有する特徴のある柄２９Ａ、２９Ｂ」を有するフローリング材１０Ａａ１、１０Ｂａ１と、そうでない（「方向性を有する特徴のある柄２９Ａ、２９Ｂ」を有さない）フローリング材１０Ａｂ１、１０Ａｂ３、１０Ｂｂ１、１０Ｂｂ３と、前後反転していない、「方向性を有する特徴のある柄２９Ａ、２９Ｂ」を有するフローリング材１０Ａａ２、１０Ｂａ２と、そうでない（「方向性を有する特徴のある柄２９」を有さない）フローリング材１０Ａｂ２、１０Ａｂ４、１０Ｂｂ２、１０Ｂｂ４とを含む、全部で１２種類のフローリング材１０が得られる（化粧柄２８Ａを有するフローリング材１０を組３０Ａ、化粧柄２８Ｂを有するフローリング材１０を組３０Ｂとする。）。
【００４９】
なお、この状態（個々のフローリング材１０がバラバラの状態）でフローリング材１０の表面にクリア樹脂層１６を形成してもよいし、全てのフローリング材１０を床面に配設し終わった後、床面全体にクリア樹脂層１６を形成してもよいことは上述したとおりである。
【００５０】
然る後、各組３０Ａ、３０Ｂから、各フローリング材１０を、前後の向きを変えることなく単位枚数だけ順に取り出して梱包する（例えば、６枚のフローリング材１０＝１坪を１単位枚数として）ことにより、フローリングセット３２が完成する。
【００５１】
各組３０Ａ、３０Ｂから取り出したフローリング材１０を積み重ねる順番はどのようなものであってもよいが、図示するように、各組３０Ａ、３０Ｂから交互に取り出す（つまり、同じ組Ａ、３０Ｂから取り出されたフローリング材１０が連続して積まれていない状態になる。）ことが好適である。
【００５２】
この実施例によれば、第１あるいは第２の実施例における作用効果に加えて、「化粧柄２８の違い」、「特徴のある柄２９の有無」、および「前後反転の有無（向きの違い）」で互いに異なるフローリング材１０が形成され、これらの前後の向きを変えることなく単位枚数だけ順に取り出して梱包しているので、図７に示すように、床面の施工現場でこのフローリングセット３２の梱包を解いて当該フローリング材１０を順に床面に配設したとき、「同一の『方向性を有する特徴のある柄２９』」が「同じ向き」で配置される頻度がさらに低くなるとともに、これら「同一の『方向性を有する特徴のある柄２９』」が連続して配設されることがなくなって互いに適度に離間して配置される。これにより、第１の実施例にて説明した作用効果と相俟って、床面等に表された化粧柄２８の見た目をさらに自然にすることができる。
【００５３】
（第４の実施例）
第４の実施例は、第３の実施例と同様に互いに異なる化粧柄２８Ａ、２８Ｂを有する印刷化粧シート１４Ａ、１４Ｂを使用するものであるが、木質基板１２に印刷化粧シート１４を貼着してから当該木質基板１２を切断するのではなく、図８に示すように、所望するフローリング材１０の大きさに木質基板１２を予め切断しておいた切断木質基板Ｚに、予め印刷化粧シート１４Ａ、１４Ｂを切断しておいた切断化粧印刷シートＹＡ、ＹＢを貼着する点が異なっている。
【００５４】
すなわち、最初に、方向性を有する特徴のある柄２９Ａ、２９Ｂを有しており、互いに異なる化粧柄２８Ａ、２８Ｂが印刷された複数種類の印刷化粧シート１４Ａ、１４Ｂを所定の大きさに切断して切断化粧印刷シートＹＡ、ＹＢを用意しておく。本実施例において、各切断化粧印刷シートＹＡ、ＹＢのサイズは、１尺×６尺に形成されている。
【００５５】
また、木質基板１２を長手方向に沿って切断して切断木質基板Ｚを形成する。本実施例において、各切断木質基板Ｚは、３尺×６尺の木質基板１２を幅方向に三等分割して１尺×６尺に形成されている。
【００５６】
次に、各切断化粧印刷シートＹＡ、ＹＢを切断木質基板Ｚに貼着してシート付切断木質基板１２ａを形成した後、同一の木質基板１２から切り分けられたシート付切断木質基板１２ａを１セットＳとして、各セットＳひとつおきに前後反転させつつシート付切断木質基板１２ａを積み上げ、積み上げられたシート付切断木質基板１２ａに（図示しない）実加工を施す。
【００５７】
これにより、第３の実施例と同様に、化粧柄２８Ａ、２８Ｂが互いに異なる、前後反転した、「方向性を有する特徴のある柄２９Ａ、２９Ｂ」を有するフローリング材１０Ａａ１、１０Ｂａ１と、そうでない（「方向性を有する特徴のある柄２９Ａ、２９Ｂ」を有さない）フローリング材１０Ａｂ１、１０Ａｂ３、１０Ｂｂ１、１０Ｂｂ３と、前後反転していない、「方向性を有する特徴のある柄２９Ａ、２９Ｂ」を有するフローリング材１０Ａａ２、１０Ｂａ２と、そうでない（「方向性を有する特徴のある柄２９」を有さない）フローリング材１０Ａｂ２、１０Ａｂ４、１０Ｂｂ２、１０Ｂｂ４とを含む、全部で１２種類のフローリング材１０が得られる（化粧柄２８Ａを有するフローリング材１０を組３０Ａ、化粧柄２８Ｂを有するフローリング材１０を組３０Ｂとする。）。
【００５８】
このようにして完成したフローリング材１０の組３０Ａ、３０Ｂは、上述した第３の実施例における組３０Ａ、３０Ｂと同じであるから、本実施例の作用効果については、第３の実施例で説明した作用効果を援用する。
【００５９】
なお、上記第１〜第４の実施例では、大判として３尺×６尺サイズの木質基板１２を使用し、所定サイズとして１尺×６尺サイズのフローリング材１０を形成した。
【符号の説明】
【００６０】
１０…フローリング材
１２…木質基板
１４…印刷化粧シート
１６…クリア樹脂層
２０…雄実部
２２…雌実部
２４…嵌合空間部
２６…突出部
２８…化粧柄
２９…特徴のある柄
３０…（フローリング材の）組
３２…フローリングセット
Ｘ…切断化粧印刷シート
Ｚ…切断木質基板
【図１】
0005792447.tif 000002
【図２】
0005792447.tif 000003
【図３】
0005792447.tif 000004
【図４】
0005792447.tif 000005
【図５】
0005792447.tif 000006
【図６】
0005792447.tif 000007
【図７】
0005792447.tif 000008
【図８】
0005792447.tif 000009
【図９】
0005792447.tif 000010